(57)【要約】【課題】ディスク装置において、2重挿入されたディスクの排出性能を向上させ、同時にディスクのセンタリング性能を向上させる事の出来るターンテーブル装置を備えたことを特徴とするディスク装置を提供する。【解決手段】ディスク装置１において、ディスク４を定置して回転させるターンテーブル部７を弾性体からなる上ターンテーブル部１２とディスクが定置されるディスク定置面１８を有した下ターンテーブル部１３とで構成し、上ターンテーブル１２が定置されたディスクを上方に付勢する構成とし、誤ってディスク装置内にディスクが2枚重ねられて挿入されたとしても、排出動作を行う際に、上ターンテーブル部１２がクランプ部８から外れた2枚のディスクを付勢力によって上方向に押し上げる。【選択図】  図４
2010152944.tif 000002
【特許請求の範囲】
【請求項１】
ディスクを定置して回転させるターンテーブルを有したディスク装置であって、
前記ターンテーブルは、弾性体からなる上ターンテーブル部とディスクが定置される定置面を有した下ターンテーブル部とからなり、前記上ターンテーブルは、前記下ターンテーブル部に定置されたディスクを上方に付勢することを特徴とするディスク装置。
【請求項２】
前記上ターンテーブル部はバネ性を有した板バネからなることを特徴とする請求項１記載のディスク装置。
【請求項３】
前記上ターンテーブル部は前記板バネの一部を折り曲げた折角部を有し、前記折角部が前記ディスクに接触して前記ディスクを上方に付勢することを特徴とする請求項２記載のディスク装置。
【請求項４】
前記折角部の複数個所において前記ディスクと前記折角部とが点接触することを特徴とする請求項３記載のディスク装置。
【請求項５】
前記上ターンテーブル部の先端は、前記下ターンテーブル部に接触し、前記上ターンテーブルの先端と前記折角部との間が上下方向に撓むことを特徴とする請求項３に記載のディスク装置
【請求項６】
前記折角部は前記ディスクのセンターホールに内接することを特徴とする請求項３記載のディスク装置。
【請求項７】
前記ターンテーブル部は、前記上ターンテーブル部と前記下ターンテーブル部とを固定するストッパーを有したことを特徴とする請求項１ないし請求項６に記載のディスク装置。
【発明の詳細な説明】
【技術分野】
【０００１】
本発明は、光ディスク等のディスクを記録媒体に用いて、ディスクへの記録及び／又はディスクの再生を行うディスク装置に用いられるターンテーブル及びこのターンテーブルを用いたディスク装置に関し、特にディスク装置の挿脱性能を向上させるディスク装置に関するものである。
【背景技術】
【０００２】
従来のディスク装置として、ディスクの正確なセンタリングを行い、外部より加えられる振動や衝撃等の影響を抑制するために、ディスクの中心穴が嵌合する嵌合部材と、ディスクを支持するテーブル部と、ディスクに取り付けられた金属板を吸引するマグネットと、嵌合部材に形成される複数の切り欠き部に設けられ、嵌合部材に対し放射方向に出没可能に配設された複数のバネ部によりディスクの中心穴の内壁部を押圧してディスクの中心と嵌合部材の中心とを一致させるセンタリング手段とを備えるディスクテーブルにおいて、バネ部のバネ定数を、ディスクの中心穴の内壁部を大きな力によって押圧するものに設定するものが知られている（例えば特許文献１参照）。
【特許文献１】特開２００２−２０３３５２号公報
【発明の開示】
【発明が解決しようとする課題】
【０００３】
しかしながら、従来のディスク装置では、ユーザの誤動作によってディスクが2枚重ねられた状態でディスク装置に挿入された際に、２枚重ねられた下のディスクが上のディスクにより下方向に押さえつけられ、ターンテーブルのセンターキャップに引っかかり、ディスクが排出できないという問題があった。
【０００４】
本発明は、従来の課題を解決するためになされたもので、ディスクが2重挿入された際に確実に排出することが出来るディスク装置を提供することを目的とする。
【課題を解決するための手段】
【０００５】
本発明のディスク装置は、ディスクを定置して回転させるターンテーブルを有したディスク装置であって、前記ターンテーブルは、弾性体からなる上ターンテーブル部とディスクが定置される定置面を有した下ターンテーブル部とからなり、前記上ターンテーブルは、前記下ターンテーブル部に定置されたディスクを上方に付勢する構成を有している。
【０００６】
ここで、上方向とはターンテーブルに定置されたディスク面に対して直行しディスクの定置面とは反対へ向かう方向である。
【０００７】
この構成により、誤ってディスク装置内にディスクが2枚重ねられて挿入されたとしても、排出動作を行う際に、上ターンテーブル部が2枚のディスクを付勢力によって上方向に押し上げ2枚のディスクの排出動作を確実に行うことができる。
【０００８】
また、本発明のディスク装置は、前記上ターンテーブル部がバネ性を有した板バネからなる構成を有している。
【０００９】
また、本発明のディスク装置は、  前記上ターンテーブル部は前記板バネの一部を折り曲げた折角部を有し、前記折角部が前記ディスクに接触して前記ディスクを上方に付勢する構成を有している。
【００１０】
さらに、本発明のディスク装置は、前記上ターンテーブル部の先端は、前記下ターンテーブル部に接触し、前記上ターンテーブルの先端と前記折角部との間が上下方向に撓む構成を有している。
【００１１】
この構成により、ディスク挿入時に、板バネ部がディスクを柔らかく受け止めるため、ディスククランプ動作時の動作音が低減される。
【００１２】
さらに、本発明のディスク装置は、前記折角部の複数個所において前記ディスクと前記折角部とが点接触する構成を有している。
【００１３】
この構成により、ディスクをクランプする際に、より安定したクランプ動作を実現する事が出来る。加えて、ディスク排出動作を行う際に、複数の支点でディスクを上方向に持ち上げることが出来る。
【００１４】
そして、本発明のディスク装置は、前記折角部が前記ディスクのセンターホールに内接する構成を有している。
【００１５】
この構成により、ディスクは付勢部品によりディスク中心へと寄せられディスクセンタリング機能が向上する。
【００１６】
さらに、本発明のディスク装置は、前記ターンテーブル部が、前記上ターンテーブル部と前記下ターンテーブル部とを固定するストッパーを有した構成となっている。
【００１７】
この構成により、付勢部品と樹脂部品とを確実に組み合わせる事ができ、ディスク装置がターンテーブルに定置されたディスクを回転させる際に、安定した回転動作を行うことが出来る。
【発明の効果】
【００１８】
本発明は、ターンテーブル部を複数の部品で構成し、複数の部品のうちの一つがターンテーブル部に定置されたディスクを上方に付勢する構成としたことにより、誤ってディスク装置内にディスクが2枚重ねられて挿入されたとしても、2枚のディスクによる付勢力によって上方向に押し上げ2枚のディスクの排出動作を確実に行うことができるという効果を有するディスク装置を提供することができるものである。
【発明を実施するための最良の形態】
【００１９】
以下、本発明の実施の形態について、図面を用いて説明する。
【００２０】
図１は本発明の実施の形態におけるディスク装置の外観図を示している。以下の説明においては、図１のＸ軸方向を横方向として、Y軸方向を奥行き方向、Z軸方向を高さ方向として説明する。あるいは、X軸方向は「左」または「右」を用いて、Y軸方向は「前」または「後」を用いて、Z軸方向は「上」または「下」を用いて説明する。
【００２１】
図１において、本発明の実施の形態のディスク装置１は、スロットイン方式によるディスク挿入方式を採用したものであり、ディスク装置１は、その前面にディスクをディスク装置１の内部へ挿入するためのディスク挿入口２を有した構成となっている。
【００２２】
図２は、ディスク装置１の内部の概略構成を示す図である。図２において、ディスク装置１は、その内部に筐体３が設けられており、この筐体３の内部には、ディスク４をディスク挿入口２とディスク再生位置５との間で搬送させる、ゴムローラー３３や図示しないギア部品等から構成されるディスク搬送機構６と、ディスク再生位置５に搬送されたディ
スク４をターンテーブル７の上にクランプさせるディスククランプ部８と、ディスククランプ部８によってクランプされたディスク４を回転させるディスク回転部９とを備えている。
【００２３】
図３は、本発明の実施の形態における、ディスク４を回転させるディスク回転部９の側面図である。ディスク回転部９は、ディスク４を回転させるスピンドルモータ１０とディスク４を定置するためのターンテーブル部７と、ターンテーブル部７を圧入し回転させるためのモータ回転軸３７を有した構成となっている。図３において、上方向とは矢印３４の示す方向である。また、下方向とは矢印３５の示す方向である。
【００２４】
通常使用状態において、すなわち、使用者がディスク４を挿入してディスク装置１でディスク４を再生する状態において、ディスク４は、筐体３のディスク挿入口２から挿入されて、ディスク搬送機構６により筐体３の内部に搬送され、ディスク４が再生される位置であるディスク再生位置５に到達する。ディスク搬送機構６によって、ディスク再生位置５まで搬送されたディスク４は、ターンテーブル部７の上に定置され、その後ディスククランプ部８が下方である矢印３５で示す方向へ移動し、ターンテーブル部７とディスククランプ部８とによって挟まれることでクランプされる。そして、駆動源であるスピンドルモータ１０が回転することによってディスク回転部９が回転し、これにともなってクランプされたディスク４が回転する。さらにその後ディスク装置１は、レーザーダイオードなどの光源や対物レンズおよび対物レンズを動作させるアクチュエータなどを備えた光ピックアップユニット１１を駆動させて、回転しているディスク４の記録面に記録された情報を読み出して再生する。
【００２５】
次に図４ないし図８を用いて本実施の形態におけるターンテーブルについて、その詳細を説明する。
【００２６】
図４は本実施の形態におけるターンテーブル部７の構造を示す図である。また、図５は、本発明の実施の形態における下ターンテーブルの構造を示す図である。そして、図６は、本発明の実施の形態における上ターンテーブルの構造を示す図である。図７はターンテーブルの中心穴を通り、上ターンテーブル部の長手方向と平行な直線における断面図である。
【００２７】
ターンテーブル部７は、下ターンテーブル部１２と上ターンテーブル部１３とが分離可能に構成されている。
【００２８】
下ターンテーブル部１３は、その中心部分に、スピンドルモータ１０のモータ回転軸３７に圧入される中心穴１４を有し、下ターンテーブル部１３とターンテーブル部７の上方向からターンテーブル部７に定置されたディスク４をターンテーブル7部へ押さえるためのディスククランプ部８とを互いに組み合わせるための所定の勾配を有したセンターキャップ傾斜部３９を有している。すなわち、クランパ８とターンテーブル部７との嵌め合い位置がディスク外径の大小バラツキやディスク挿入位置の左右バラツキなどによって正規の位置から若干ずれてしまったとしても、クランパ８の下降動作とともにセンターキャップ傾斜部３９がクランパ８を正規の位置へ案内し、最終的に正確にクランパ８とターンテーブル部７とが勘合されることとなる。
【００２９】
また、下ターンテーブル部１３は、ディスク４のセンターホール２６の直径と同等の直径の円弧を成す円形状が外周側に形成され、更に内周側には上ターンテーブル部１２のベースプレート２１を収納するための円形状のベースプレート収納スペース３６を有したセンターキャップ１５およびセンターキャップ１６とが設けられている。
【００３０】
さらに、下ターンテーブル部１３は、上ターンテーブル部１２と下ターンテーブル部１３の取り付けスペースである上ターンテーブル取り付けスペース１７aおよび上ターンテーブル取り付けスペース１７bと、その周りにはディスク４を定置するためのディスク定置面１８とが設けられている。
【００３１】
そして、上ターンテーブル部１２と下ターンテーブル部を組み合わせ、上ターンテーブル部１２のストッパー２２およびストッパー２３と下ターンテーブル部１３を固定するためのストッパー収納穴１９およびストッパー収納穴２０を有する構成となっている。
【００３２】
上ターンテーブル部１２は、図６に示すようにセンターキャップ１５およびセンターキャップ１６の内周側に形成される円形状のベースプレート収納スペース３６と同等の円形状のベースプレート２１と、上ターンテーブル部１２と下ターンテーブル部１３のストッパー収納穴１９およびストッパー収納穴２０とを固定するためのストッパー２２およびストッパー２３が設けられている。
【００３３】
また、ディスク４をクランプする際にディスク４を支えるためのガイドプレート２４およびガイドプレート２５が設けられ、このガイドプレート２４とガイドプレート２５との間には、ガイドプレート２４とガイドプレート２５とのそれぞれに連設されたガイドプレート折角部２８およびガイドプレート折角部２７が設けられている。このガイドプレート折角部２８およびガイドプレート折角部２７は、ディスク４がクランプする際にセンターホール内側に位置するよう寸法上の配慮がされており、実際のセンタリングはこれと隣接するガイドプレート２４とガイドプレート２５の傾斜により行われる。
【００３４】
さらに、上ターンテーブル部１２は、上ターンテーブル部１２の先端部分であるガイドプレート先端２９およびガイドプレート先端３０を有している。
【００３５】
ガイドプレート２４およびガイドプレート２５はそれぞれベースプレート２１を挟んで一直線上に配置されている。ガイドプレート２４は、ガイドプレート折角部２８からガイドプレート先端２９に向かって上から下へ傾斜しており、ガイドプレート先端２９が下ターンテーブル部１３に接している形状となっているとともに、この折角部２８とプレート先端２９との間に位置するガイドプレート２４は上下方向に撓むことができる。同様にガイドプレート２５も、ガイドプレート折角部２７からガイドプレート先端３０に向かって上から下へ傾斜した構造となっており、ガイドプレート先端３０が下ターンテーブル部１３に接している形状となっている。すなわち、上ターンテーブル部１２は、側面視した場合、ガイドプレート折角部２７およびガイドプレート折角部２８を頂点とした山型の形状を成している。
【００３６】
ターンテーブル部７は、下ターンテーブル部１３の上に上ターンテーブル部１２が定置されて構成される。すなわち、ベースプレート収納スペース３６にベースプレート２１が収納され、上ターンテーブル取り付けスペース１７aにガイドプレート２５が収納され、上ターンテーブル取り付けスペース１７bにガイドプレート２４が収納される。ここで、センターキャップ１５および１６の下部にそれぞれ設けられたくぼみに、ストッパー２２および２３がそれぞれ嵌め込まれることによって上ターンテーブル部１２が下ターンテーブル部１３に固定される。したがって、モータ回転軸３７に圧入される下ターンテーブル部１３が回転すれば、これとともに上ターンテーブル部１２も回転することとなる。
【００３７】
また、上述のとおり、ターンテーブル部７は、上下２つに分離可能に構成されるため、例えば上ターンテーブル部１２のバネ性が劣化するなどした場合においても、ターンテーブル部７の全てを交換しなくても良くなり、メンテナンス性能が向上するので、部品交換コストを抑えることができる。
【００３８】
以上のように構成された、ディスク装置１について、その動作を説明する。
ディスク装置１にディスク４が挿入され、挿入されたディスク４がディスク再生位置５まで搬送された後、ディスククランプ部８によってディスク４がターンテーブル部７の上にクランプされる時、ディスク４はガイドプレート折角部２７およびガイドプレート折角部２８を支点としてディスク４を支える事となり、ディスク４がディスククランプ部８からターンテーブル部７までに向かう下方向（矢印３５の示す方向）に受ける力を緩衝させることができ、上ターンテーブル部１２がディスク４をクランプさせる際の衝撃を緩衝させる事が出来る。
【００３９】
ここで、従来のターンテーブル４１を用いて、ディスク４をクランプする際には、センターホール２６とセンターキャップ４２との間に微小な空隙が発生し、ディスク４のモータ回転軸に対する偏心が大きくなることで、ディスク４のセンタリング精度が悪化することがある。更に、センターホール２６とセンターキャップとの間に微小な空隙が生じると、ディスク装置の記録または再生動作時において、誤動作としてのトラックジャンプが生じ、ディスク４に対する情報信号の書き込みあるいは読み出しが中断されてしまう原因となる。その上、ターンテーブル４１は樹脂部品から構成されているため、ディスク４をクランプする際に樹脂部品とディスク4との接触による音（クランプ音）が生じる原因となる。
【００４０】
これに対し、本実施の形態のディスク装置１は、ディスク４のセンターホール２６が上ターンテーブル１２のガイドプレート折角部２７およびガイドプレート折角部２８に接触することで、ディスク４の中心が中心穴１４の中心に向かうようにセンターホール２６が力を与えられる事によって、センタリング性能を向上させることが出来る。図８は、本発明の実施の形態における、センタリング性能向上の動作を説明する図である。図８を用いて、その動作を説明する。ガイドプレート折角部２７およびガイドプレート折角部２８がクランプ動作時にセンターホール２６の内側に入り、その後ディスク４はガイドプレート２４およびガイドプレート２５の傾斜にガイドされてセンタリングが行われる。すなわち、センターホール２６がガイドプレート折角部２７よりガイドプレート折角部２８に近い位置関係にある場合では、先にガイドプレート折角部２８に接触し、ディスクはガイドプレート２４の外端側にガイドされる。その動作中にガイドプレート折角部２７にセンターホール２６が接触した時点でセンタリング動作は完了するというものである。逆の場合も同様にセンタリングが行われる。
【００４１】
次にディスク４をクランプする際の動作音に関して以下のとおり説明する。
【００４２】
従来のものを用いた場合ではディスクの定置時に下側から支える部材が存在しないため、ディスクが自由落下してセンターキャップと衝突する際の衝突音を低減させる事が出来なかった。
【００４３】
これに対し、本実施の形態においては、ディスク４をクランプする際に、クランプ動作によって降下するディスク４はディスク定置位置３８より上方向（矢印３４の示す方向）に位置するガイドプレート２４およびガイドプレート２５に接触する。この後にディスク４はディスククランプ８によって、下方向（矢印３５の示す方向に）押し下げられ、ディスク定置位置３８まで移動する間、ガイドプレート２４およびガイドプレート２５より上方向（矢印３４の示す方向）の押し戻し力を受けて移動するため、ディスク定置位置３８に収納される際の衝突音を大幅に低減することができる。
【００４４】
更に、誤って２枚のディスクが重ねられてディスク装置１の内部に挿入された場合について、図９を用いて以下に説明する。
【００４５】
図９に示すように、ディスククランプ部８がターンテーブル部７を下方向（矢印３５の示す方向）に押し込む力を解除し、ディスククランプ状態を解除しディスク４を排出する際には、バネ性を有する上ターンテーブル１２は、上方向（矢印３４の示す方向）にディスク４を持ち上げる動作を行う。バネ性を有する上ターンテーブル１２は、上方向（矢印３４の示す方向）にディスク４を持ち上げることにより、イジェクト動作時にセンターホール２６とセンターキャップ１５およびセンターキャップ１６の引掛りを回避する作用をもたらし、その結果ディスク排出動作(ゴムローラー３３でディスク排出口２の方向にディスク４を搬送する動作)時にディスク４が引掛りなくスムーズに排出される。
【００４６】
ここで、従来のターンテーブルを用いて、図９（ａ)に示すように２枚のディスク３１およびディスク３２が挿入された際に、ディスク排出動作をする場合には、ディスククランプ部がクランプ状態を解除し、矢印３４の示す方向に移動した時、ディスク排出機構６はゴムローラー３３を図示していないモータによってディスク挿入口２の方向に回転させ、ディスク３２を排出させる動作を行うが、ディスク３２はターンテーブルのセンターキャップがセンターホールに掛かり、排出する事ができない場合がある。
【００４７】
これに対し、本実施の形態のディスク装置１は、図９（ｂ）に示すように、ディスク３１およびディスク３２が２枚挿入されているような場合には、上ターンテーブル部１２が上方向（矢印３４の示す方向）にディスク３１およびディスク３２を持ち上げる動作を行い、センターキャップ１５およびセンターキャップ１６よりも上にディスク３１およびディスク３２を持ち上げる事ができ、これにより、重なり合った２枚のディスク３１およびディスク３２は、センターホール２６が下ターンテーブル部１３のセンターキャップ１５及びセンターキャップ１６に掛かることなく、ゴムローラー３３を備えたディスク排出機構６によって、ディスク挿入口２の方向へ搬送され、ディスク３１およびディスク３２は排出動作を確実に行うことができる。すなわち、ディスク３１およびディスク３２の排出性能を大きく向上させることが可能となる。
【００４８】
なお、上記実施の形態においては、下ターンテーブル部１３には２つの上ターンテーブル取り付けスペース１７および上ターンテーブル取り付けスペース１８、また上ターンテーブル部１２には２つのガイドプレート折角部２７およびガイドプレート折角部２８、更に２つのガイドプレート２４およびガイドプレート２５を有した構造になっているが、これらは必ずしも２つでなくともよい。すなわち、下ターンテーブル部１３に３つ以上の上ターンテーブル取り付けスペース、また上ターンテーブル部１２に３つ以上のガイドプレート及びガイドプレート折角部を有した構造になっていても良い。３つ以上のガイドプレート及びガイドプレート折角部を有した構造となった場合、２つの場合と比べ、構造が複雑になるものの、ディスクを支えるための支点が増えることで、ディスクを排出するためのディスクを持ち上げる支点が増え、さらに排出性能が向上することとなる。
【００４９】
更に、３つ以上のガイドプレート及びガイドプレート折角部を有した構造となった場合、下ターンテーブルのガイドプレートを逃がす面積が増大しセンターキャップ１５およびセンターキャップ１６の面積が小さくなるため、ガイドプレート収納穴１９,２０の確保しにくく、ガイドプレートの幅も確保が困難となるものの、上ターンテーブル部１２は、ガイドプレートが２つよりも個数が増える事により、ディスク４を多方向からセンタリングさせる事が可能となり、よりセンタリングの精度が増すため、センタリング性能は向上する。
【００５０】
また、上記したようなターンテーブル部７は、図に示すようなディスク装置以外にも、他の形式、構成を有する種々のディスク装置に適用する事が出来る。
【産業上の利用可能性】
【００５１】
以上のように、本発明に係わるディスク装置は、ディスクの排出性能を向上させる効果をおよびディスクのセンタリング性能を向上させることが出来る効果を有し、光ディスク等のディスクを記録媒体に用いてディスクへの記録及び／又はディスクの再生を行うディスク装置に用いられるターンテーブル及びこのターンテーブルを用いたディスク装置として有用である。
【図面の簡単な説明】
【００５２】
【図１】（ａ）本発明の実施の形態におけるディスク装置の平面図（ｂ）本発明の実施の形態におけるディスク装置の正面図
【図２】本発明の実施の形態におけるディスク装置の動作説明のための外観図
【図３】本発明の実施の形態におけるディスク回転部の側面図
【図４】本発明の実施の形態におけるターンテーブルの斜視図
【図５】本発明の実施の形態における下ターンテーブル斜視図
【図６】本発明の実施の形態における上ターンテーブル斜視図
【図７】本発明の実施の形態におけるターンテーブル断面図
【図８】本発明の実施の形態におけるセンタリング動作を説明する図
【図９】（ａ）本発明の実施の形態における2枚挿脱動作改善動作を説明する図（b） 本発明の実施の形態における2枚挿脱動作改善動作を説明する図
【符号の説明】
【００５３】
１  ディスク装置
２  ディスク挿入口
３  筐体
４  ディスク
５  ディスク再生位置
６  ディスク搬送機構
７  ターンテーブル部
８  ディスククランプ部
９  ディスク回転部
１０  スピンドルモータ
１１  光ピックアップユニット
１２  上ターンテーブル部
１３  下ターンテーブル部
１４  中心穴
１５  センターキャップ
１６  センターキャップ
１７a  上ターンテーブル取り付けスペース
１７b  上ターンテーブル取り付けスペース
１８  ディスク定置面
１９  ストッパー収納穴
２０  ストッパー収納穴
２１  ベースプレート
２２  ストッパー
２３  ストッパー
２４  ガイドプレート
２５  ガイドプレート
２６  センターホール
２７  ガイドプレート折角部
２８  ガイドプレート折角部
２９  ガイドプレート先端
３０  ガイドプレート先端
３１  ディスク
３２  ディスク
３３  ゴムローラー
３４  矢印
３５  矢印
３６  ベースプレート収納スペース
３７  モータ回転軸
３８  ディスク定置位置
３９  センターキャップ傾斜部
４０  センターキャップ傾斜部
４１  ターンテーブル
４２  センターキャップ
【図１】
2010152944.tif 000003
【図２】
2010152944.tif 000004
【図３】
2010152944.tif 000005
【図４】
2010152944.tif 000006
【図５】
2010152944.tif 000007
【図６】
2010152944.tif 000008
【図７】
2010152944.tif 000009
【図８】
2010152944.tif 000010
【図９】
2010152944.tif 000011